(57)【要約】【課題】タッチパネルの操作性を向上する。【解決手段】画像形成装置１００は、タッチパネル４１と、制御部５とを備える。制御部５は、表示部５１１と、受付部５１２とを備える。表示部５１１は、タッチパネル４１に少なくとも１つのオブジェクトＢＪを表示する。受付部５１２は、オブジェクトＢＪに対するスライド操作ＴＳを受け付ける。スライド操作ＴＳを受付部５１２が受け付けた場合に、表示部５１１は、スライド操作ＴＳに基づき、オブジェクトＢＪに対応する遷移先画面ＳＣの表示範囲ＦＮを決定し、表示範囲ＦＮをタッチパネル４１に表示する。【選択図】図２
2019021021.tif 000002
【特許請求の範囲】
【請求項１】
タッチパネルを備える表示制御装置であって、
前記タッチパネルに少なくとも１つのオブジェクトを表示する表示部と、
前記オブジェクトに対するスライド操作を受け付ける受付部と
を備え、
前記スライド操作を前記受付部が受け付けた場合に、前記表示部は、前記スライド操作に基づき、前記オブジェクトに対応する遷移先画面の表示範囲を決定し、前記表示範囲を前記タッチパネルに表示する、表示制御装置。
【請求項２】
前記遷移先画面は、スクロールバーを含み、
前記表示範囲は、前記スクロールバーのスライダーに対して前記スライド操作が行われた場合に表示される表示範囲に対応する、請求項１に記載の表示制御装置。
【請求項３】
前記スライド操作の操作期間内であるか否か判定する第１判定部と、
前記スライド操作の始点からの移動距離を検出する検出部と
を更に備え、
前記操作期間内であると前記第１判定部が判定した場合には、前記表示部は、前記移動距離に対応する前記表示範囲を決定する、請求項１又は請求項２に記載の表示制御装置。
【請求項４】
前記スライド操作の始点からの移動距離を検出する検出部を更に備え、
前記遷移先画面は、複数の領域に区画され、
前記表示部は、前記移動距離に基づいて、前記表示範囲を前記複数の領域のうちいずれか１つの領域に決定する、請求項１に記載の表示制御装置。
【請求項５】
前記スライド操作が終了した時に、前記移動距離が所定距離以上であるか否かを判定する第２判定部を更に備え、
前記移動距離が前記所定距離以上であると前記第２判定部が判定した場合に、前記表示部は、前記遷移先画面を慣性スクロール表示する、
前記慣性スクロール表示は、前記スライド操作が終了した後も、慣性が作用しているように、前記遷移先画面のスクロールを継続して表示する、請求項４に記載の表示制御装置。
【請求項６】
タッチパネルを備える表示制御装置が実行する表示制御方法であって、
前記タッチパネルに少なくとも１つのオブジェクトを表示する表示ステップと、
前記オブジェクトに対するスライド操作を受け付ける受付ステップと、
前記スライド操作を受け付けた場合に、前記スライド操作に基づき、前記オブジェクトに対応する遷移先画面の表示範囲を決定し、前記表示範囲を前記タッチパネルに表示する決定ステップと
を含む、表示制御方法。
【発明の詳細な説明】
【技術分野】
【０００１】
本発明は、表示制御装置、及び表示制御方法に関する。
【背景技術】
【０００２】
特許文献１に記載の表示制御装置は、マーク付与部と、マーク判定部と、スクロール表示部とを備える。リスト画像に含まれる複数のリスト項目のうち１つのリスト項目に対応するマーク項目がタッチされた場合に、マーク付与部は、タッチされたマーク項目にマーク画像を付与する。フリック操作が検知されると、マーク判定部は、リスト画像にマーク画像が存在するか否かを判定する。マーク画像が存在するとマーク判定部が判定した場合に、スクロール表示部は、リスト画像の表示範囲をマーク画像が付与されたマーク項目のリスト項目までスクロールする。
【先行技術文献】
【特許文献】
【０００３】
【特許文献１】特開２０１３−１１４３３８号公報
【発明の概要】
【発明が解決しようとする課題】
【０００４】
特許文献１に記載の表示制御装置によれば、一回の操作によって、マーク画像を含むマーク項目のリスト項目を容易に表示できる。しかしながら、タッチパネルの操作性に改善の余地があった。
【０００５】
本発明は、上記課題に鑑みてなされたものであり、タッチパネルの操作性を向上可能な表示制御装置、及び表示制御方法を提供することを目的としている。
【課題を解決するための手段】
【０００６】
本発明に係る表示制御装置は、タッチパネルと、表示部と、受付部とを備える。前記表示部は、前記タッチパネルに少なくとも１つのオブジェクトを表示する。前記受付部は、前記オブジェクトに対するスライド操作を受け付ける。前記スライド操作を前記受付部が受け付けた場合に、前記表示部は、前記スライド操作に基づき、前記オブジェクトに対応する遷移先画面の表示範囲を決定し、前記表示範囲を前記タッチパネルに表示する。
【０００７】
本発明に係る表示制御方法は、タッチパネルを備える表示制御装置が実行し、表示ステップと、受付ステップと、決定ステップとを含む。前記表示ステップでは、前記タッチパネルに少なくとも１つのオブジェクトを表示する。前記受付ステップでは、前記オブジェクトに対するスライド操作を受け付ける。前記決定ステップでは、前記スライド操作を受け付けた場合に、前記スライド操作に基づき、前記オブジェクトに対応する遷移先画面の表示範囲を決定し、前記表示範囲を前記タッチパネルに表示する。
【発明の効果】
【０００８】
本発明に係る表示制御装置、及び表示制御方法によれば、タッチパネルの操作性を向上できる。
【図面の簡単な説明】
【０００９】
【図１】本発明の実施形態に係る画像形成装置の構成を示す図である。
【図２】第１実施形態に係る制御部の構成を示す図である。
【図３】遷移先画面に表示するデータの一例を示す図である。
【図４】表示部がタッチパネルに表示するアドレス選択画面の一例を示す画面図である。
【図５】スライド操作が行われた後に表示されるアドレス選択画面の一例を示す画面図である。
【図６】スライド操作が行われる資料選択画面の一例を示す画面図である。
【図７】第１実施形態に係る制御部の処理の一例を示すフローチャートである。
【図８】第２実施形態に係る制御部の構成を示す図である。
【図９】表示部がタッチパネルに表示するアドレス選択画面の一例を示す画面図である。
【図１０】移動距離と領域との関係の一例を示す図である。
【図１１】スライド操作が行われた後に表示されるアドレス選択画面の一例を示す画面図である。
【図１２】第２実施形態に係る制御部の処理の一例を示すフローチャートである。
【発明を実施するための形態】
【００１０】
以下、本発明の実施形態について、図面（図１〜図１２）を参照しながら説明する。なお、図中、同一又は相当部分については同一の参照符号を付して説明を繰り返さない。
【００１１】
まず、図１を参照して、本実施形態に係る画像形成装置１００の構成について説明する。図１は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１２】
図１に示すように、画像形成装置１００は、画像形成ユニット１、画像読取ユニット２、原稿搬送ユニット３、操作表示部４及び制御部５を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。制御部５は、画像形成装置１００の動作を制御する。
【００１３】
画像形成ユニット１は、給送部１２、搬送部Ｌ、トナー供給部１３、画像形成部１４、定着部１６及び排出部１７を備える。画像形成部１４は、転写部１５を含む。
【００１４】
給送部１２は、用紙Ｐを搬送部Ｌへ供給する。搬送部Ｌは、用紙Ｐを転写部１５及び定着部１６を経由して排出部１７まで搬送する。
【００１５】
トナー供給部１３は、画像形成部１４にトナーを供給する。画像形成部１４は、用紙Ｐに画像を形成する。
【００１６】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１７】
定着部１６は、用紙Ｐを加熱及び加圧し、用紙Ｐに形成された画像を用紙Ｐに定着する。排出部１７は、用紙Ｐを画像形成装置１００の外部へ排出する。
【００１８】
操作表示部４は、ユーザーからの操作を受け付ける。操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。タッチパネル４１は、矩形状に形成される。タッチパネル４１と制御部５とは、「表示制御装置」を構成する。
【００１９】
制御部５は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶している。
【００２０】
＜第１実施形態＞
次に、図１〜図４を参照して、第１実施形態に係る制御部５の構成について説明する。図２は、制御部５の構成を示す図である。
【００２１】
図２に示すように、制御部５のプロセッサー５１は、表示部５１１、受付部５１２、第１判定部５１３及び検出部５１４を備える。具体的には、プロセッサー５１は、制御プログラムを実行することによって、表示部５１１、受付部５１２、第１判定部５１３及び検出部５１４として機能する。表示部５１１は、遷移先画面ＳＣをタッチパネル４１に表示する。
【００２２】
図３は、遷移先画面ＳＣに表示するデータの一例を示す図である。遷移先画面ＳＣには、宛先を指定するための「姓」が表示される。宛先は、例えば、ファクシミリの送信先を示す。
【００２３】
図３に示すように、「姓」は、５０音順に制御部５の記憶部５２に記憶されている。「行」欄は、「姓」の先頭の読みが、「あ行」、「か行」、「さ行」、「た行」、「な行」、「は行」、「ま行」、「や行」、「ら行」、及び「わ行」のどの行に含まれるかを示す。「先頭の読み」欄は、「姓」の先頭の読みを示す。「姓」欄は、グループに纏められている。１つのグループには、４個の「姓」が含まれる。
【００２４】
例えば、「行」欄が「あ」で、「先頭の読み」欄が「あ」の第１グループには、「相田」、「青山」、「赤西」、及び「赤松」の４個の「姓」が含まれる。また、例えば、「行」欄が「か」で、「先頭の読み」欄が「こ」の第１グループには、「小門」、「児島」、「小谷」及び「小西」の４個の「姓」が含まれる。
【００２５】
遷移先画面ＳＣの表示範囲ＦＮには、３つのグループが表示される。表示範囲ＦＮは、例えば、表示範囲ＦＮ１、表示範囲ＦＮ２又は表示範囲ＦＮ３である。例えば、表示範囲ＦＮ１には、「行」欄が「あ」で「先頭の読み」欄が「あ」の第１グループと第２グループと第３グループとが含まれる。また、例えば、表示範囲ＦＮ２には、「行」欄が「か」で「先頭の読み」欄が「く」の最後の２つのグループと、「行」欄が「か」で「先頭の読み」欄が「こ」の第１グループとが含まれる。更に、例えば、表示範囲ＦＮ３には、「行」欄が「か」で、「先頭の読み」欄が「こ」の第１グループと第２グループと第３グループとが含まれる。
【００２６】
ファクシミリの送信先は、例えば、以下の手順で決定される。まず、遷移先画面ＳＣの表示範囲ＦＮに表示された１２個（＝４個×３グループ）の「姓」の中から１つの「姓」を選択する。１つの「姓」が選択されると、タッチパネル４１に１つの「姓」に対応する全ての宛先の一覧が表示される。そして、ユーザーがファクシミリの送信を所望する送信先を、宛先の一覧から選択することによって、送信先が決定される。
【００２７】
図４は、表示部５１１がタッチパネル４１に表示する６００を示す画面図である。図４に示すように、アドレス選択画面６００には、オブジェクトＢＪと、選択肢表示部ＡＳとが表示されている。アドレス選択画面６００は、ユーザーがファクシミリの送信先を決定するために、選択肢表示部ＡＳに１２個の「姓」を表示する。
【００２８】
オブジェクトＢＪは、第１オブジェクトＢＪ１、第２オブジェクトＢＪ２、第３オブジェクトＢＪ３、第４オブジェクトＢＪ４、第５オブジェクトＢＪ５、第６オブジェクトＢＪ６、第７オブジェクトＢＪ７、第８オブジェクトＢＪ８、第９オブジェクトＢＪ９及び第１０オブジェクトＢＪ１０を含む。第１オブジェクトＢＪ１〜第１０オブジェクトＢＪ１０は、それぞれ、「あ行」〜「わ行」に対応する。
【００２９】
オブジェクトＢＪは、選択肢表示部ＡＳに表示する表示範囲ＦＮを変更する場合に、ユーザーによって操作される。例えば、ユーザーが第２オブジェクトＢＪ２にタッチした場合には、「行」欄が「か」で「先頭の読み」欄が「か」の第１グループ〜第３グループ（図３参照）に含まれる１２個の「姓」が表示される。また、例えば、ユーザーが第４オブジェクトＢＪ４にタッチした場合には、「行」欄が「た」で「先頭の読み」欄が「た」の第１グループ〜第３グループ（図３参照）に含まれる１２個の「姓」が表示される。
【００３０】
選択肢表示部ＡＳは、１２個の「姓」を選択可能に表示する。例えば、選択肢表示部ＡＳには、表示範囲ＦＮ１に含まれる１２個の「姓」が表示されている。具体的には、１２個の「姓」にそれぞれ対応する１２個のボタン（ボタン６０１、ボタン６０２、ボタン６０３、ボタン６０４、ボタン６０５、ボタン６０６、ボタン６０７、ボタン６０８、ボタン６０９、ボタン６１０、ボタン６１１及びボタン６１２）が表示される。ボタン６０１〜ボタン６１２には、それぞれ、対応する「姓」が表示されている。
【００３１】
例えば、ボタン６０１には、「相田」と表示され、ボタン６０２には、「青山」と表示され、ボタン６０３には、「赤西」と表示され、ボタン６０４には、「赤松」と表示されている。すなわち、ボタン６０１〜ボタン６０４には、「行」欄が「あ」で「先頭の読み」欄が「あ」の第１グループ（図３参照）が表示されている。
【００３２】
選択肢表示部ＡＳには、スクロールバーＳＢが更に表示されている。スクロールバーＳＢは、選択肢表示部ＡＳに表示する１２個のボタンをスクロールする場合にユーザーによって操作される。スクロールバーＳＢは、スライダーＳＬを含む。ユーザーはスライダーＳＬをスクロールバーＳＢの長手方向（上下方向）にドラッグすることによって、選択肢表示部ＡＳに表示する１２個のボタンをスクロールする。
【００３３】
次に、図２と図４とを参照して、制御部５の構成について具体的に説明する。
【００３４】
表示部５１１は、タッチパネル４１に少なくとも１つのオブジェクトＢＪを表示する。
【００３５】
受付部５１２は、オブジェクトＢＪに対するスライド操作ＴＳを受け付ける。
【００３６】
第１判定部５１３は、スライド操作ＴＳの操作期間ＰＤ内であるか否か判定する。操作期間ＰＤは、スライド操作ＴＳの開始からスライド操作ＴＳの終了までの期間を示す。
【００３７】
検出部５１４は、スライド操作ＴＳの始点ＰＳからの移動距離ＬＭを検出する。移動距離ＬＭは、スライド操作ＴＳの始点ＰＳからタッチ点ＰＴまでの距離を示す。タッチ点ＰＴは、ユーザーがタッチパネル４１にタッチしている位置を示す。
【００３８】
スライド操作ＴＳを受付部５１２が受け付けた場合に、表示部５１１は、スライド操作ＴＳに基づき、遷移先画面ＳＣの表示範囲ＦＮを決定し、表示範囲ＦＮをタッチパネル４１に表示する。遷移先画面ＳＣは、オブジェクトＢＪに対応する画面である。
【００３９】
以上、図１〜図４を参照して説明したように、本発明の第１実施形態では、オブジェクトＢＪに対するスライド操作ＴＳに基づき、オブジェクトＢＪに対応する遷移先画面ＳＣの表示範囲ＦＮを決定し、表示範囲ＦＮをタッチパネル４１に表示する。よって、遷移先画面ＳＣの選択と表示範囲ＦＮの選択とを１回のスライド操作ＴＳで行うことができる。したがって、タッチパネル４１の操作性を向上できる。
【００４０】
次に、図２〜図５を参照して、制御部５の処理について更に説明する。図４を参照してユーザーによって行われるスライド操作ＴＳの一例について説明する。図４に示すように、スライド操作ＴＳは、以下のように行われる。まず、ユーザーの手Ｈの人差し指を第２オブジェクトＢＪ２の始点Ｐ１にタッチする。そして、人差し指をタッチパネル４１にタッチした状態で人差し指を終点Ｐ２まで移動する。次に、終点Ｐ２で人差し指をタッチパネル４１から離す。
【００４１】
スライド操作ＴＳにおける人差し指の移動方向は、方向Ｄ１（下向き）と平行である。方向Ｄ１は、タッチパネル４１の短辺方向と平行な方向を示す。スライド操作ＴＳの始点Ｐ１からの移動距離Ｌ１は、始点Ｐ１と終点Ｐ２との間の距離を示す。
【００４２】
スライド操作ＴＳが行われると、表示部５１１は図５に示すアドレス選択画面７００をタッチパネル４１に表示する。図５は、スライド操作ＴＳが行われた後に表示されるアドレス選択画面７００の一例を示す画面図である。図５に示すように、アドレス選択画面７００には、オブジェクトＢＪと、選択肢表示部ＡＳとが表示されている。
【００４３】
オブジェクトＢＪは、第１オブジェクトＢＪ１〜第１０オブジェクトＢＪ１０を含む。
【００４４】
選択肢表示部ＡＳは、表示範囲ＦＮ２に含まれる１２個の「姓」を表示する。具体的には、１２個の「姓」にそれぞれ対応する１２個のボタン（ボタン７０１、ボタン７０２、ボタン７０３、ボタン７０４、ボタン７０５、ボタン７０６、ボタン７０７、ボタン７０８、ボタン７０９、ボタン７１０、ボタン７１１及びボタン７１２）が表示される。ボタン７０１〜ボタン７１２には、それぞれ、対応する「姓」が表示されている。
【００４５】
例えば、ボタン７０１には、「久喜」と表示され、ボタン７０２には、「串平」と表示され、ボタン７０３には、「九島」と表示され、ボタン７０４には、「工藤」と表示されている。すなわち、ボタン７０１〜ボタン７０４には、「行」欄が「か」で「先頭の読み」欄が「く」の最後から２番目のグループ（図３参照）が表示されている。
【００４６】
選択肢表示部ＡＳには、スクロールバーＳＢが更に表示されている。スクロールバーＳＢは、スライダーＳＬを含む。スライダーＳＬの中心は、位置Ｐ４に配置されている。位置Ｐ４は、位置Ｐ３から距離Ｌ２だけ方向Ｄ１にドラッグした位置を示す。位置Ｐ３は、スクロールバーＳＢにおいてスライダーＳＬが移動可能な範囲のうち上端の位置を示す。距離Ｌ２の値は移動距離Ｌ１の値と一致している。
【００４７】
次に、図４に示すアドレス選択画面６００においてスライド操作ＴＳが行われた場合に、第１実施形態に係る制御部５が図５に示すアドレス選択画面７００をタッチパネル４１に表示する処理について説明する。
【００４８】
検出部５１４は、移動距離Ｌ１を検出する。表示部５１１は、スライド操作ＴＳに基づき、遷移先画面ＳＣ（アドレス選択画面７００）の表示範囲ＦＮ２を決定し、表示範囲ＦＮ２をタッチパネル４１に表示する。具体的には、遷移先画面ＳＣは、スクロールバーＳＢを含む。表示範囲ＦＮ２は、スクロールバーＳＢのスライダーＳＬに対してスライド操作ＴＳが行われた場合に表示される表示範囲ＦＮに対応する。
【００４９】
表示部５１１は、表示範囲ＦＮ２を以下のようにして決定する。すなわち、第２オブジェクトＢＪ２がタッチされ、スクロールバーＳＢのスライダーＳＬが移動距離Ｌ１だけ方向Ｄ１にドラッグされた場合に表示される表示範囲ＦＮを表示範囲ＦＮ２に決定する。
【００５０】
以上、図２〜図５を参照して説明したように、本発明の第１実施形態では、表示部５１１は、遷移先画面ＳＣのスクロールバーＳＢのスライダーＳＬに対してスライド操作ＴＳが行われた場合の表示範囲ＦＮ２をタッチパネル４１に表示する。よって、ユーザーは、遷移先画面ＳＣのスクロールバーＳＢのスライダーＳＬに対してスライド操作ＴＳを行う場合と同様に、オブジェクトＢＪに対するスライド操作ＴＳを行うことができる。したがって、タッチパネル４１の操作性を更に向上できる。
【００５１】
次に、図２及び図６を参照して、本発明の第１実施形態に係る制御部５の処理について更に説明する。図６は、スライド操作ＴＳが行われる資料選択画面８００の一例を示す画面図である。図４に示すアドレス選択画面６００及び図５に示すアドレス選択画面７００が、「姓」を選択可能に表示するのに対して、資料選択画面８００は、資料を選択可能に表示する点で相違している。
【００５２】
図６に示すように、資料選択画面８００には、オブジェクトＢＪＡと選択肢表示部ＡＳとが表示されている。オブジェクトＢＪＡは、ユーザーが資料を選択する場合にスライド操作ＴＳが行われる。
【００５３】
スライド操作ＴＳは、以下のようにして行われる。まず、ユーザーの手Ｈの人差し指をオブジェクトＢＪＡの始点Ｐ５にタッチする。そして、人差し指をタッチパネル４１にタッチした状態で人差し指を終点Ｐ６まで移動する。次に、終点Ｐ６で人差し指をタッチパネル４１から離す。
【００５４】
スライド操作ＴＳにおける人差し指の移動方向は、方向Ｄ１（下向き）と平行である。スライド操作ＴＳの移動距離Ｌ３は、始点Ｐ５と終点Ｐ６との間の距離を示す。
【００５５】
選択肢表示部ＡＳには、資料表示部ＤＣとスクロールバーＳＢとが表示される。資料表示部ＤＣは、年度毎に纏められた資料を示すチェックマークＣＭが選択可能に表示されている。例えば、資料表示部ＤＣには、１９９０年度の資料、１９９１年度の資料、１９９２年度の資料、１９９３年度の資料、１９９４年度の資料、１９９５年度の資料、及び１９９６年度の資料が選択可能に表示されている。
【００５６】
チェックマークＣＭをユーザーがタッチすると、対応する資料の一覧が表示される。例えば、１９９３年度の資料の一覧を表示する場合には、「１９９３」との数字に対応するチェックマークＣＭをユーザーがタッチする。
【００５７】
スクロールバーＳＢは、スライダーＳＬを含む。ユーザーはスライダーＳＬをスクロールバーＳＢの長手方向（上下方向）にドラッグすることによって、選択肢表示部ＡＳに表示する資料表示部ＤＣをスクロールする。
【００５８】
スライド操作ＴＳが行われた場合に、制御部５は、以下の処理を行う。検出部５１４は、移動距離Ｌ３を検出する。表示部５１１は、スライド操作ＴＳに基づき、遷移先画面ＳＣ（資料選択画面８００）の表示範囲ＦＮＡを決定し、表示範囲ＦＮＡをタッチパネル４１に表示する。また、遷移先画面ＳＣは、スクロールバーＳＢを含む。表示範囲ＦＮＡは、スクロールバーＳＢのスライダーＳＬに対してスライド操作ＴＳが行われた場合に表示される表示範囲ＦＮに対応する。
【００５９】
表示部５１１は、表示範囲ＦＮＡを以下のようにして決定する。すなわち、表示範囲ＦＮＡは、オブジェクトＢＪＡがタッチされ、スクロールバーＳＢのスライダーＳＬが移動距離Ｌ３だけ方向Ｄ１にドラッグされた場合に表示される表示範囲ＦＮを示す。
【００６０】
以上、図２及び図６を参照して説明したように、本発明の第１実施形態では、ユーザーは、遷移先画面ＳＣのスクロールバーＳＢのスライダーＳＬに対してスライド操作ＴＳを行う場合と同様に、オブジェクトＢＪＡに対するスライド操作ＴＳを行うことができる。したがって、ユーザーは、所望する年度の資料の一覧を容易に表示できる。その結果、タッチパネル４１の操作性を向上できる。
【００６１】
次に、図２〜図７を参照して、第１実施形態に係る制御部５の処理について説明する。図７は、第１実施形態に係る制御部５の処理の一例を示すフローチャートである。なお、タッチパネル４１には、表示部５１１によってオブジェクトＢＪが表示されている。
まず、ステップＳ１０１において、受付部５１２が、オブジェクトＢＪに対するスライド操作ＴＳを受け付けたか否かを判定する。
スライド操作ＴＳを受け付けていないと受付部５１２が判定した場合（ステップＳ１０１でＮＯ）には、処理が待機状態になる。スライド操作ＴＳを受け付けたと受付部５１２が判定した場合（ステップＳ１０１でＹＥＳ）には、処理がステップＳ１０３に進む。
そして、ステップＳ１０３において、検出部５１４が、スライド操作ＴＳの移動距離ＬＭを検出する。
次に、ステップＳ１０５において、表示部５１１は、移動距離ＬＭに対応する表示範囲ＦＮを決定する。
次に、ステップＳ１０７において、表示部５１１は、表示範囲ＦＮをタッチパネル４１に表示する。
【００６２】
次に、ステップＳ１０９において、第１判定部５１３が、スライド操作ＴＳの操作期間ＰＤ内であるか否かを判定する。具体的には、第１判定部５１３が、スライド操作ＴＳが終了したか否かを判定する。
スライド操作ＴＳが終了していないと第１判定部５１３が判定した場合（ステップＳ１０９でＮＯ）には、処理がステップＳ１０３に戻る。スライド操作ＴＳが終了したと第１判定部５１３が判定した場合（ステップＳ１０９でＹＥＳ）には、処理がステップＳ１１１に進む。
そして、ステップＳ１１１において、検出部５１４が、スライド操作ＴＳの移動距離ＬＭを検出する。
次に、ステップＳ１１３において、表示部５１１は、移動距離ＬＭに対応する表示範囲ＦＮを決定する。
次に、ステップＳ１１５において、表示部５１１は、表示範囲ＦＮをタッチパネル４１に表示し、処理が終了する。
【００６３】
なお、ステップＳ１０１が、「受付ステップ」の一例に相当する。ステップＳ１０５及びステップＳ１１３が、「決定ステップ」の一例に相当する。
【００６４】
以上、図２〜図７を参照して説明したように、本発明の第１実施形態では、スライド操作ＴＳの操作期間ＰＤ内であると第１判定部５１３が判定した場合に、表示部５１１は、移動距離ＬＭに対応する表示範囲ＦＮを決定し、タッチパネル４１に表示する。よって、ユーザーが所望する表示範囲ＦＮをタッチパネル４１に表示できる。具体的には、ユーザーが所望する表示範囲ＦＮがタッチパネル４１に表示されたときに、ユーザーはスライド操作ＴＳを終了することによって、ユーザーが所望する表示範囲ＦＮをタッチパネル４１に表示できる。また、ユーザーは人差し指をタッチパネル４１から離すことによって、ユーザーはスライド操作ＴＳを終了できる。したがって、タッチパネル４１の操作性を更に向上できる。
【００６５】
＜第２実施形態＞
次に、図８及び図９を参照して、第２実施形態に係る制御部５の構成について説明する。図８は、第２実施形態に係る制御部５の構成を示す図である。第２実施形態に係る制御部５は、第１判定部５１３に替えて第２判定部５２４を備える点で第１実施形態に係る制御部５と相違している。具体的には、第１判定部５１３が操作期間ＰＤ内であるか否か判定するのに対して、第２判定部５２４は、移動距離ＬＭが所定距離ＬＰ以上であるか否かを判定する。以下、第１実施形態に係る制御部５と相違する点について主に説明する。
【００６６】
図８に示すように、制御部５のプロセッサー５１は、表示部５２１、受付部５２２、検出部５２３及び第２判定部５２４を備える。具体的には、プロセッサー５１は、制御プログラムを実行することによって、表示部５２１、受付部５２２、検出部５２３及び第２判定部５２４として機能する。表示部５２１は、遷移先画面ＳＣをタッチパネル４１に表示する。
【００６７】
図９は、表示部５２１がタッチパネル４１に表示するアドレス選択画面６００を示す画面図である。図９に示すように、アドレス選択画面６００には、オブジェクトＢＪと、選択肢表示部ＡＳとが表示されている。図９に示すアドレス選択画面６００は、図４に示すアドレス選択画面６００と同一の画面であるため、その要部のみを説明し、詳細な説明を省略する。
【００６８】
図９に示すように、アドレス選択画面６００には、オブジェクトＢＪと、選択肢表示部ＡＳとが表示されている。オブジェクトＢＪは、第１オブジェクトＢＪ１〜第１０オブジェクトＢＪ１０を含む。第１オブジェクトＢＪ１〜第１０オブジェクトＢＪ１０は、それぞれ、「あ行」〜「わ行」に対応する。
【００６９】
選択肢表示部ＡＳは、１２個のボタン６０１〜ボタン６１２を表示する。１２個のボタン６０１〜ボタン６１２は、それぞれ１２個の「姓」に対応する。選択肢表示部ＡＳには、スクロールバーＳＢが更に表示されている。スクロールバーＳＢは、スライダーＳＬを含む。スライド操作ＴＳは、例えば、第２オブジェクトＢＪ２に対して行われる。スライド操作ＴＳの移動距離ＬＭは、移動距離Ｌ１である。
【００７０】
次に、図８及び図９を参照して、制御部５の構成について具体的に説明する。
【００７１】
表示部５２１は、タッチパネル４１に少なくとも１つのオブジェクトＢＪを表示する。
【００７２】
受付部５２２は、オブジェクトＢＪに対するスライド操作ＴＳを受け付ける。
【００７３】
検出部５２３は、スライド操作ＴＳの始点ＰＳからの移動距離ＬＭを検出する。
【００７４】
第２判定部５２４は、スライド操作ＴＳが終了した時に、移動距離ＬＭが所定距離ＬＰ以上であるか否かを判定する。
【００７５】
スライド操作ＴＳを受付部５２２が受け付けた場合に、表示部５２１は、スライド操作ＴＳに基づき、オブジェクトＢＪに対応する遷移先画面ＳＣの表示範囲ＦＮを決定し、表示範囲ＦＮをタッチパネル４１に表示する。
【００７６】
また、移動距離ＬＭが所定距離ＬＰ以上であると第２判定部５２４が判定した場合に、表示部５２１は、遷移先画面ＳＣを慣性スクロール表示する。「慣性スクロール表示」は、スライド操作ＴＳが終了した後も、慣性が作用しているように、遷移先画面ＳＣのスクロールを継続して表示する。
【００７７】
以上、図８及び図９を参照して説明したように、本発明の第２実施形態では、移動距離ＬＭが所定距離ＬＰ以上である場合に、遷移先画面ＳＣを慣性スクロール表示する。よって、遷移先画面ＳＣが慣性スクロール表示されている間に、ユーザーが所望する表示範囲が表示されたか否かを確認できる。したがって、タッチパネル４１の操作性を更に向上できる。
【００７８】
次に、図３及び図８〜図１０を参照して、第２実施形態に係る制御部５の処理について更に説明する。図１０は、移動距離Ｌ１と領域ＡＲとの関係の一例を示す図である。遷移先画面ＳＣは、複数の領域ＡＲに区画されている。遷移先画面ＳＣは、先頭の読みが「か」行である「姓」を表示する。表示部５２１は、移動距離Ｌ１に基づいて、表示範囲ＦＮを複数の領域ＡＲのうちいずれか１つの領域に決定する。
【００７９】
具体的には、図１０の「領域ＡＲ」欄に示すように、遷移先画面ＳＣは、第１領域ＡＲ１、第２領域ＡＲ２、第３領域ＡＲ３、第４領域ＡＲ４及び第５領域ＡＲ５に区画されている。第１領域ＡＲ１は、遷移先画面ＳＣのうち「姓」の先頭の読みが「あ段」である領域を示す。具体的には、遷移先画面ＳＣは、先頭の読みが「か」行である「姓」を表示するため、第１領域ＡＲ１は、遷移先画面ＳＣのうち「姓」の先頭の読みが「か」である領域を示す。
【００８０】
第２領域ＡＲ２は、遷移先画面ＳＣのうち「姓」の先頭の読みが「い段」である領域を示す。具体的には、遷移先画面ＳＣは、先頭の読みが「か」行である「姓」を表示するため、第２領域ＡＲ２は、遷移先画面ＳＣのうち「姓」の先頭の読みが「き」である領域を示す。第３領域ＡＲ３は、遷移先画面ＳＣのうち「姓」の先頭の読みが「う段」である領域を示す。具体的には、遷移先画面ＳＣは、先頭の読みが「か」行である「姓」を表示するため、第３領域ＡＲ３は、遷移先画面ＳＣのうち「姓」の先頭の読みが「く」である領域を示す。
【００８１】
第４領域ＡＲ４は、遷移先画面ＳＣのうち「姓」の先頭の読みが「え段」である領域を示す。具体的には、遷移先画面ＳＣは、先頭の読みが「か」行である「姓」を表示するため、第４領域ＡＲ４は、遷移先画面ＳＣのうち「姓」の先頭の読みが「け」である領域を示す。第５領域ＡＲ５は、遷移先画面ＳＣのうち「姓」の先頭の読みが「お段」である領域を示す。具体的には、遷移先画面ＳＣは、先頭の読みが「か」行である「姓」を表示するため、第５領域ＡＲ５は、遷移先画面ＳＣのうち「姓」の先頭の読みが「こ」である領域を示す。
【００８２】
「移動距離Ｌ１」欄は、移動距離Ｌ１の範囲を示す。「表示方法」欄は、表示部５２１が第１領域ＡＲ１を表示する方法を示す。第２判定部５２４は、移動距離Ｌ１が次の式（１）を満たすか否かを判定する。そして、移動距離Ｌ１が次の式（１）を満たすと第２判定部５２４が判定した場合には、表示部５２１は、第１領域ＡＲ１を表示する。
０≦Ｌ１＜ＬＡ      （１）
ただし、第１距離ＬＡは、０より大きい。
【００８３】
第２判定部５２４は、移動距離Ｌ１が次の式（２）を満たすか否かを判定する。そして、移動距離Ｌ１が次の式（２）を満たすと第２判定部５２４が判定した場合には、表示部５２１は、第２領域ＡＲ２を表示する。
ＬＡ≦Ｌ１＜ＬＢ      （２）
第２距離ＬＢは、第１距離ＬＡより大きい。
第２判定部５２４は、移動距離Ｌ１が次の式（３）を満たすか否かを判定する。そして、移動距離Ｌ１が次の式（３）を満たすと第２判定部５２４が判定した場合には、表示部５２１は、第３領域ＡＲ３を表示する。
ＬＢ≦Ｌ１＜ＬＣ      （３）
第３距離ＬＣは、第２距離ＬＢより大きい。
【００８４】
第２判定部５２４は、移動距離Ｌ１が次の式（４）を満たすか否かを判定する。そして、移動距離Ｌ１が次の式（４）を満たすと第２判定部５２４が判定した場合には、表示部５２１は、第４領域ＡＲ４を表示する。
ＬＣ≦Ｌ１＜ＬＤ      （４）
第４距離ＬＤは、第３距離ＬＣより大きい。
第２判定部５２４は、移動距離Ｌ１が次の式（５）を満たすか否かを判定する。そして、移動距離Ｌ１が次の式（５）を満たすと第２判定部５２４が判定した場合には、表示部５２１は、第５領域ＡＲ５を表示する。
ＬＤ≦Ｌ１＜ＬＥ      （５）
第５距離ＬＥは、第４距離ＬＤより大きい。
第２判定部５２４は、移動距離Ｌ１が次の式（６）を満たすか否かを判定する。そして、移動距離Ｌ１が次の式（６）を満たすと第２判定部５２４が判定した場合には、表示部５２１は、第５領域ＡＲ５を慣性スクロール表示する。
ＬＥ≦Ｌ１      （６）
第５距離ＬＥは、所定距離ＬＰの一例に相当する。
【００８５】
なお、第１距離ＬＡから第４距離ＬＤは、次の式（７）を満たす。
ＬＤ−ＬＣ＝ＬＣ−ＬＢ＝ＬＢ−ＬＡ＝ＬＡ      （７）
すなわち、第２距離ＬＢは第１距離ＬＡの２倍であり、第３距離ＬＣは第１距離ＬＡの３倍であり、第４距離ＬＤは第１距離ＬＡの４倍である。
【００８６】
次に、図３及び図８〜図１１を参照して、第２実施形態に係る制御部５の処理について更に説明する。図１１は、スライド操作ＴＳが行われた後に表示されるアドレス選択画面９００の一例を示す画面図である。図１１に示すように、アドレス選択画面９００には、オブジェクトＢＪと、選択肢表示部ＡＳとが表示されている。
【００８７】
オブジェクトＢＪは、第１オブジェクトＢＪ１〜第１０オブジェクトＢＪ１０を含む。
【００８８】
選択肢表示部ＡＳは、表示範囲ＦＮ３に含まれる１２個の「姓」が表示する。具体的には、１２個の「姓」にそれぞれ対応する１２個のボタン（ボタン９０１、ボタン９０２、ボタン９０３、ボタン９０４、ボタン９０５、ボタン９０６、ボタン９０７、ボタン９０８、ボタン９０９、ボタン９１０、ボタン９１１及びボタン９１２）が表示される。ボタン９０１〜ボタン９１２には、それぞれ、対応する「姓」が表示されている。
【００８９】
例えば、ボタン９０１には、「小門」と表示され、ボタン９０２には、「児島」と表示され、ボタン９０３には、「小谷」と表示され、ボタン９０４には、「小西」と表示されている。すなわち、ボタン９０１〜ボタン９０４には、「行」欄が「か」で「先頭の読み」欄が「こ」の第１グループ（図３参照）が表示されている。
【００９０】
選択肢表示部ＡＳには、スクロールバーＳＢが更に表示されている。スクロールバーＳＢは、スライダーＳＬを含む。スライダーＳＬの中心は、位置Ｐ７に配置されている。位置Ｐ７は、位置Ｐ３から距離Ｌ４だけ方向Ｄ１にドラッグした位置を示す。位置Ｐ３は、スクロールバーＳＢにおいてスライダーＳＬが移動可能な範囲のうち上端の位置を示す。距離Ｌ４は第４距離ＬＤと一致している。
【００９１】
次に、図９に示すアドレス選択画面６００においてスライド操作ＴＳが行われた場合に、第２実施形態に係る制御部５が図１１に示すアドレス選択画面９００をタッチパネル４１に表示する処理について説明する。
【００９２】
検出部５１４は、移動距離Ｌ１を検出する。第２判定部５２４は、移動距離Ｌ１が式（１）〜式（６）のうち、どの式を満たすかを判定する。例えば、移動距離Ｌ１は、式（５）を満たす。よって、表示部５２１は、第５領域ＡＲ５を表示する。具体的には、表示部５２１は、第５領域ＡＲ５の第１グループ〜第３グループに含まれる１２個の「姓」を遷移先画面ＳＣ（アドレス選択画面９００）の表示範囲ＦＮ３（図３参照）に決定し、表示範囲ＦＮ３をタッチパネル４１に表示する。
【００９３】
以上、図３及び図８〜図１１を参照して説明したように、本発明の第２実施形態では、移動距離Ｌ１が式（１）〜式（６）のうち、どの式を満たすかを第２判定部５２４が判定する。そして、第２判定部５２４の判定結果に応じて、表示部５２１が、表示範囲ＦＮを第１領域ＡＲ１〜第５領域ＡＲ５のうちいずれか１つの領域に決定する。よって、第１領域ＡＲ１〜第５領域ＡＲ５のうち、ユーザーが選択肢表示部ＡＳに表示したい領域を、容易に表示できる。したがって、タッチパネル４１の操作性を更に向上できる。
【００９４】
また、第２距離ＬＢは第１距離ＬＡの２倍であり、第３距離ＬＣは第１距離ＬＡの３倍であり、第４距離ＬＤは第１距離ＬＡの４倍であるため、第１領域ＡＲ１〜第５領域ＡＲ５のうち、ユーザーが選択肢表示部ＡＳに表示したい領域を、更に容易に表示できる。
【００９５】
なお、本発明の第２実施形態では、遷移先画面ＳＣが５個の領域ＡＲ（第１領域ＡＲ１〜第５領域ＡＲ５）に区画されるが、本発明はこれに限定されない。遷移先画面ＳＣが複数の領域ＡＲに区画されればよい。領域ＡＲの個数が多い程、ユーザーが所望する「姓」を効率的に表示できる。領域ＡＲの個数が少ない程、ユーザーの操作が容易になる。
【００９６】
次に、図３及び図８〜図１２を参照して、第２実施形態に係る制御部５の処理について説明する。図１２は、第２実施形態に係る制御部５の処理の一例を示すフローチャートである。なお、タッチパネル４１には、表示部５１１によってオブジェクトＢＪが表示されている。
まず、図１１のステップＳ２０１において、受付部５２２が、オブジェクトＢＪに対するスライド操作ＴＳを受け付けたか否かを判定する。
スライド操作ＴＳを受け付けていないと受付部５２２が判定した場合（ステップＳ２０１でＮＯ）には、処理が待機状態になる。スライド操作ＴＳを受け付けたと受付部５２２が判定した場合（ステップＳ２０１でＹＥＳ）には、処理がステップＳ２０３に進む。
そして、ステップＳ２０３において、検出部５１４が、スライド操作ＴＳの移動距離ＬＭを検出する。
次に、ステップＳ２０５において、第２判定部５２４が、移動距離ＬＭが第１距離ＬＡ未満であるか否かを判定する。
移動距離ＬＭが第１距離ＬＡ未満であると第２判定部５２４が判定した場合（ステップＳ２０５でＹＥＳ）には、処理がステップＳ２０７に進む。
そして、ステップＳ２０７において、表示部５２１が第１領域ＡＲ１の第１グループ〜第３グループを表示し、処理が終了する。
移動距離ＬＭが第１距離ＬＡ未満ではないと第２判定部５２４が判定した場合（ステップＳ２０５でＮＯ）には、処理がステップＳ２０９に進む。
そして、ステップＳ２０９において、第２判定部５２４が、移動距離ＬＭが第２距離ＬＢ未満であるか否かを判定する。
【００９７】
移動距離ＬＭが第２距離ＬＢ未満であると第２判定部５２４が判定した場合（ステップＳ２０９でＹＥＳ）には、処理がステップＳ２１１に進む。
そして、ステップＳ２１１において、表示部５２１が第２領域ＡＲ２の第１グループ〜第３グループを表示し、処理が終了する。
移動距離ＬＭが第２距離ＬＢ未満ではないと第２判定部５２４が判定した場合（ステップＳ２０９でＮＯ）には、処理がステップＳ２１３に進む。
そして、ステップＳ２１３において、第２判定部５２４が、移動距離ＬＭが第３距離ＬＣ未満であるか否かを判定する。
移動距離ＬＭが第３距離ＬＣ未満であると第２判定部５２４が判定した場合（ステップＳ２１３でＹＥＳ）には、処理がステップＳ２１５に進む。
そして、ステップＳ２１５において、表示部５２１が第３領域ＡＲ３の第１グループ〜第３グループを表示し、処理が終了する。
移動距離ＬＭが第３距離ＬＣ未満ではないと第２判定部５２４が判定した場合（ステップＳ２１３でＮＯ）には、処理がステップＳ２１７に進む。
【００９８】
そして、ステップＳ２１７において、第２判定部５２４が、移動距離ＬＭが第４距離ＬＤ未満であるか否かを判定する。
移動距離ＬＭが第４距離ＬＤ未満であると第２判定部５２４が判定した場合（ステップＳ２１７でＹＥＳ）には、処理がステップＳ２１９に進む。
そして、ステップＳ２１９において、表示部５２１が第４領域ＡＲ４の第１グループ〜第３グループを表示し、処理が終了する。
移動距離ＬＭが第４距離ＬＤ未満ではないと第２判定部５２４が判定した場合（ステップＳ２１７でＮＯ）には、処理がステップＳ２２１に進む。
そして、ステップＳ２２１において、第２判定部５２４が、移動距離ＬＭが第５距離ＬＥ未満であるか否かを判定する。
移動距離ＬＭが第５距離ＬＥ未満であると第２判定部５２４が判定した場合（ステップＳ２２１でＹＥＳ）には、処理がステップＳ２２３に進む。
そして、ステップＳ２２３において、表示部５２１が第５領域ＡＲ５の第１グループ〜第３グループを表示し、処理が終了する。
移動距離ＬＭが第５距離ＬＥ未満ではないと第２判定部５２４が判定した場合（ステップＳ２２１でＮＯ）には、処理がステップＳ２２５に進む。
そして、ステップＳ２２５において、表示部５２１が第５領域ＡＲ５の第１グループ〜第３グループを慣性スクロール表示し、処理が終了する。
【００９９】
なお、ステップＳ２０１が、「受付ステップ」の一例に相当する。ステップＳ２０５〜ステップＳ２２５が、「決定ステップ」の一例に相当する。
【０１００】
以上、図１〜図１１を参照して説明したように、本発明の第２実施形態では、移動距離ＬＭに基づいて、表示範囲ＦＮを遷移先画面ＳＣの５個の領域（第１領域ＡＲ１〜第５領域ＡＲ５）のうちいずれか１つの領域に決定して表示する。よって、ユーザーが表示したい領域を容易に選択できる。したがって、タッチパネル４１の操作性を更に向上できる。
【０１０１】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１０２】
（１）図１、図２及び図８を参照して説明したように、本発明の第１実施形態及び第２実施形態では、「表示制御装置」が画像形成装置１００の一部として構成されるが、本発明はこれに限定されない。「表示制御装置」は、少なくとも、タッチパネル４１と制御部５とを備えていればよい。「表示制御装置」が、例えば、タブレット型端末装置である形態でもよい。
【０１０３】
（２）図１〜図４、図８及び図９を参照して説明したように、本発明の第１実施形態及び第２実施形態では、オブジェクトＢＪが第１オブジェクトＢＪ１〜第１０オブジェクトＢＪ１０を含むが、本発明はこれに限定されない。少なくとも１つのオブジェクトＢＪを表示すればよい。
【０１０４】
（３）図１〜図４、図８及び図９を参照して説明したように、本発明の第１実施形態及び第２実施形態では、スライド操作ＴＳを受け付ける画面（アドレス選択画面６００）にスクロールバーＳＢが表示されているが、本発明はこれに限定されない。遷移先画面ＳＣがスクロールバーＳＢを含めばよい。
【０１０５】
（４）図１〜図４、図８及び図９を参照して説明したように、本発明の第１実施形態及び第２実施形態では、スライド操作ＴＳにおける移動方向が方向Ｄ１と平行であるが、本発明はこれに限定されない。スライド操作ＴＳにおける移動方向は、スクロールバーＳＢのスライダーＳＬの移動方向の成分を含めばよい。例えば、スライド操作ＴＳが方向Ｄ１に対して傾斜している場合には、スライド操作ＴＳの移動距離ＬＭとして、スライド操作ＴＳの方向Ｄ１と平行な方向の成分の移動距離を検出すればよい。
【産業上の利用可能性】
【０１０６】
本発明は、表示制御装置、及び表示制御方法の分野に利用可能である。
【符号の説明】
【０１０７】
１００    画像形成装置
１    画像形成ユニット
２    画像読取ユニット
３    原稿搬送ユニット
４    操作表示部
４１    タッチパネル（表示制御装置の一部）
５    制御部（表示制御装置の一部）
５１    プロセッサー
５２    記憶部
５１１    表示部
５１２    受付部
５１３    第１判定部
５１４    検出部
５２１    表示部
５２２    受付部
５２３    検出部
５２４    第２判定部
ＳＣ    遷移先画面
ＡＲ  領域
ＡＲ１〜ＡＲ５  第１領域〜第５領域
ＢＪ、ＢＪＡ    オブジェクト
ＢＪ１〜ＢＪ１０    第１オブジェクト〜第１０オブジェクト
Ｄ１    方向
ＬＭ、Ｌ１、Ｌ３    移動距離
ＬＡ〜ＬＥ    第１距離〜第５距離
ＦＮ、ＦＮ１、ＦＮ２、ＦＮ３    表示範囲
ＴＳ    スライド操作
ＳＢ    スクロールバー
ＳＬ    スライダー
【図１】
2019021021.tif 000003
【図２】
2019021021.tif 000004
【図３】
2019021021.tif 000005
【図４】
2019021021.tif 000006
【図５】
2019021021.tif 000007
【図６】
2019021021.tif 000008
【図７】
2019021021.tif 000009
【図８】
2019021021.tif 000010
【図９】
2019021021.tif 000011
【図１０】
2019021021.tif 000012
【図１１】
2019021021.tif 000013
【図１２】
2019021021.tif 000014